(57)【要約】【課題】本発明は上記の問題に鑑みてなされたものであり携帯電話機の所持者が各種の登録を行わなくても、加速度センサの計測結果のみでマナーモードの設定及び解除を行うことが可能であると共にマナーモードの設定及び解除を行うタイミングを適切に設計した携帯情報端末を提供することを目的とする。更に、加速度センサの計測結果をマナーモードの設定及び解除以外に用いることで、加速度センサの計測結果を有効に用いることが可能な携帯情報端末を提供することを目的とする。【解決手段】本発明に係る携帯情報端末は、加速度計測手段と、時間計測手段と、計測された加速度に応じてマナーモードを制御するマナーモード制御手段と、を備える。マナーモード制御手段は、第１の加速度が時間Ｔ１継続して計測された場合にマナーモードを設定し、第２の加速度が時間Ｔ１よりも長い時間Ｔ２継続して計測された場合にマナーモードを解除することを特徴とする。【選択図】      図２
2007274074.tif 000002
【特許請求の範囲】
【請求項１】
加速度計測手段と、時間計測手段と、計測された加速度に応じてマナーモードを制御するマナーモード制御手段と、を備える携帯情報端末であって、
前記マナーモード制御手段は、第１の加速度が時間Ｔ１継続して計測された場合にマナーモードを設定し、第２の加速度が時間Ｔ１よりも長い時間Ｔ２継続して計測された場合にマナーモードを解除することを特徴とする携帯情報端末。
【請求項２】
前記第２の加速度は、前記第１の加速度よりも大きい請求項１記載の携帯情報端末。
【請求項３】
前記第１の加速度は、加速度がゼロの場合を含む請求項１または２記載の携帯情報端末。
【請求項４】
前記携帯情報端末はスピーカを備えており、マナーモードが解除されているとき計測された加速度に応じてスピーカ音量を制御する音量制御手段を備える請求項１から３のいずれか１項記載の携帯情報端末。
【請求項５】
加速度計測手段と、時間計測手段と、スピーカと、スピーカの音量を制御する音量制御手段と、を備える携帯情報端末であって、
前記音量制御手段は、所定の加速度が所定時間継続したとき計測された前記加速度に応じてスピーカの音量を制御することを特徴とする携帯情報端末。
【請求項６】
前記加速度は、加速度がゼロの場合を含む請求項５記載の携帯情報端末。
【請求項７】
前記音量制御手段は、第１の加速度が時間Ｔ３継続して計測された場合にスピーカ音量を小さくし、第２の加速度が時間Ｔ３よりも長い時間Ｔ４継続して計測された場合にスピーカ音量を大きくする請求項５または６記載の携帯情報端末。
【請求項８】
前記第２の加速度は、前記第１の加速度よりも大きい請求項７記載の携帯情報端末。
【請求項９】
加速度計測手段と時間計測手段とを備えた携帯情報端末にマナーモードを設定及び解除を行う方法であって、
加速度を計測するステップと、
所定の加速度が計測された時に時間の計測を開始するステップと、
第１の加速度が時間Ｔ１継続して計測された場合にマナーモードを設定するステップと、
第２の加速度が時間Ｔ１よりも長い時間Ｔ２継続して計測された場合にマナーモードを解除するステップとを含むことを特徴とする携帯情報端末のマナーモードの設定及び解除方法。
【請求項１０】
前記第２の加速度は、前記第１の加速度よりも大きい請求項９記載の携帯情報端末のマナーモードの設定及び解除方法。
【請求項１１】
前記第１の加速度は、加速度がゼロの場合を含む請求項９または１０記載の携帯情報端末のマナーモードの設定及び解除方法。
【請求項１２】
前記携帯情報端末はスピーカを備えており、マナーモードが解除されているとき計測された加速度に応じて前記スピーカの音量を制御するステップを含む請求項９から１１のいずれか１項記載の携帯情報端末のマナーモードの設定及び解除方法。
【請求項１３】
加速度計測手段と時間計測手段とスピーカとを備えた携帯情報端末の音量を制御する方法であって、
加速度を計測するステップと、
所定の加速度が計測された時に時間の計測を開始するステップと、
所定の加速度が所定時間継続して計測された場合にスピーカの音量を制御するステップとを含むことを特徴とする携帯情報端末の音量の制御方法。
【請求項１４】
前記加速度は、加速度がゼロの場合を含む請求項１３記載の携帯情報端末の音量の制御方法。
【請求項１５】
加速度計測手段と時間計測手段とスピーカとを備えた携帯情報端末の音量を制御する方法であって、
加速度を計測するステップと、
第１の加速度が時間Ｔ３継続して計測された場合にスピーカの音量を小さくするステップと、
第２の加速度が時間Ｔ３よりも長い時間Ｔ４継続して計測された場合にスピーカの音量を大きくするステップとを含むことを特徴とする携帯情報端末の音量の制御方法。
【請求項１６】
前記第２の加速度は、前記第１の加速度よりも大きい請求項１５記載の携帯情報端末の音量の制御方法。
【請求項１７】
前記第１の加速度は、加速度がゼロの場合を含む請求項１５または１６記載の携帯情報端末の音量の制御方法。
【請求項１８】
加速度計測手段と時間計測手段を備える携帯情報端末のコンピュータにマナーモードの設定及び解除を行わせるプログラムであって、加速度を計測させる手順と、所定の加速度が計測された時に時間の計測を開始させる手順と、第１の加速度が時間Ｔ１継続して計測された場合にマナーモードを設定させる手順と、第２の加速度が時間Ｔ１よりも長い時間Ｔ２継続して計測された場合にマナーモードを解除させる手順を含むことを特徴とする携帯情報端末にマナーモード設定及び解除を行わせるプログラム。
【請求項１９】
加速度計測手段と時間計測手段とスピーカを備える携帯情報端末のコンピュータに音量を制御させるプログラムであって、加速度を計測させる手順と、所定の加速度が計測された時に時間の計測を開始させる手順と、所定の加速度が所定時間継続して計測された場合に音量を制御させる手順を含むことを特徴とする携帯情報端末に音量を制御させるプログラム。
【請求項２０】
加速度計測手段と時間計測手段とスピーカを備える携帯情報端末のコンピュータに音量を制御させるプログラムであって、加速度を計測させる手順と、所定の加速度が計測された時に時間の計測を開始させる手順と、第１の加速度が時間Ｔ３継続して計測された場合に音量を小さくさせる手順と、第２の加速度が時間Ｔ３よりも長い時間Ｔ４継続して計測された場合に音量を大きくさせる手順を含むことを特徴とする携帯情報端末に音量を制御させるプログラム。
【発明の詳細な説明】
【技術分野】
【０００１】
本発明は、加速度センサとタイマを利用することで所定の加速度が所定時間継続した場合に携帯情報端末に自動的にマナーモードを設定及び解除するものである。
【背景技術】
【０００２】
小型で高性能な加速度センサが安価に流通するようになった。加速度センサを内蔵させて歩数計測やカメラ撮影時の手振れ補正等を行う携帯電話機は既に市販されている。特許文献１では、携帯電話機の所持者の様々な基準行動パターンを予め登録しておき、加速度センサの検出結果と基準行動パターンとを比較することで得た所持者の行動パターンが指定された時間に達した場合に、行動パターンに応じて動作モードを自動的に解除する携帯電話機が提案されている。特許文献２では、加速度センサを備えた携帯電話機において、通勤電車に乗る可能性が高い時間帯を予め登録しておき、その時間帯に加速度センサで所定の振動パターンを検出したときに自動的にマナーモードへ設定変更する携帯電話機が提案されている。更に、特許文献３では振動センサを備えた携帯電話機において、振動センサの検出結果から携帯電話機の所持者の行動形態を判別して、行動形態に対応した動作モードに自動的に移行する携帯電話機が提案されている。
【０００３】
【特許文献１】特開２００３−０４６６３０号公報
【特許文献２】特開２００５−１９２２０６号公報
【特許文献３】特開２００３−２０４３９０号公報
【発明の開示】
【発明が解決しようとする課題】
【０００４】
特許文献１及び特許文献２では、加速度センサを用いて動作モードを解除またはマナーモードを設定するために、携帯電話機の所持者は先ず、基準行動パターンや通勤電車に乗る可能性が高い時間帯を登録しておく必要がある。基準行動パターンや時間帯が適切に登録されていない場合には動作モードの解除やマナーモード設定が適切に行われない。また、特許文献１では行動パターンが指定された時間に達した場合に動作モードを解除しているが、動作モードを設定する場合にも時間指定することが望ましいと共に動作モードの設定と解除においてそれぞれ適切に時間設定を行うことが望ましい。また、特許文献３は携帯電話機の所持者の行動形態に対応して動作モードを移行するものであるが、所持者の行動形態が短時間にいろいろと変化する場合は動作モードが短時間に変化してしまうと共に、動作モード移行に関する処理の負荷が大きくなってしまう。
【０００５】
本発明は上記の問題に鑑みてなされたものであり、携帯電話機の所持者が各種の登録を行わなくても、加速度センサの計測結果のみでマナーモードの設定及び解除を行うことが可能であると共にマナーモードの設定及び解除を行うタイミングを適切に設計した携帯情報端末を提供することを目的とする。更に、加速度センサの計測結果をマナーモードの設定及び解除以外に用いることで、加速度センサの計測結果を有効に用いることが可能な携帯情報端末を提供することを目的とする。
【課題を解決するための手段】
【０００６】
上記目的を達成するために本発明に係る第一の携帯情報端末は、加速度計測手段と、時間計測手段と、計測された加速度に応じてマナーモードを制御するマナーモード制御手段と、を備える携帯情報端末であって、マナーモード制御手段は、第１の加速度が時間Ｔ１継続して計測された場合にマナーモードを設定し、第２の加速度が時間Ｔ１よりも長い時間Ｔ２継続して計測された場合にマナーモードを解除することを特徴とする。ここで、第２の加速度は第１の加速度よりも大きいと共に第１の加速度には加速度がゼロの場合を含むとしても良い。
【０００７】
また、本発明に係る第二の携帯情報端末は、更にスピーカを備えており、マナーモードが解除されているとき計測された加速度に応じてスピーカ音量を制御する音量制御手段を備える。
【０００８】
更に、本発明に係る第三の携帯情報端末は、加速度計測手段と、時間計測手段と、スピーカと、スピーカの音量を制御する音量制御手段と、を備える携帯情報端末であって、前記音量制御手段は、所定の加速度が所定時間継続したとき計測された前記加速度に応じてスピーカの音量を制御することを特徴とする。例えば、第１の加速度が時間Ｔ３継続して計測された場合にスピーカ音量を小さくし、第２の加速度が時間Ｔ３よりも長い時間Ｔ４継続して計測された場合にスピーカ音量を大きくする。ここで、第２の加速度は第１の加速度よりも大きいと共に第１の加速度には加速度がゼロの場合を含むとしても良い。
【０００９】
本発明に係る第一の携帯情報端末のマナーモードの設定及び解除方法は、加速度計測手段と時間計測手段とを備えた携帯情報端末にマナーモードを設定及び解除を行う方法であって、加速度を計測するステップと、所定の加速度が計測された時に時間の計測を開始するステップと、第１の加速度が時間Ｔ１継続して計測された場合にマナーモードを設定するステップと、第２の加速度が時間Ｔ１よりも長い時間Ｔ２継続して計測された場合にマナーモードを解除するステップとを含むことを特徴とする。ここで、第２の加速度は第１の加速度よりも大きいと共に第１の加速度には加速度がゼロの場合を含むとしても良い。
【００１０】
本発明に係る第二の携帯情報端末のマナーモードの設定及び解除方法は、携帯情報端末は更にスピーカを備えており、マナーモードが解除されているとき計測された加速度に応じてスピーカの音量を制御するステップを含む。
【００１１】
本発明に係る携帯情報端末の音量の制御方法は、加速度計測手段と時間計測手段とスピーカとを備えた携帯情報端末の音量を制御する方法であって、加速度を計測するステップと、所定の加速度が計測された時に時間の計測を開始するステップと、所定の加速度が所定時間継続して計測された場合にスピーカの音量を制御するステップとを含むことを特徴とする。また音量を制御するステップとして、第１の加速度が時間Ｔ３継続して計測された場合にスピーカの音量を小さくするステップと、第２の加速度が時間Ｔ３よりも長い時間Ｔ４継続して計測された場合にスピーカの音量を大きくするステップとを含んでも良い。ここで、第２の加速度は第１の加速度よりも大きいと共に第１の加速度には加速度がゼロの場合を含むとしても良い。
【００１２】
本発明に係る携帯情報端末にマナーモード設定及び解除を行わせるプログラムは、加速度計測手段と時間計測手段を備える携帯情報端末のコンピュータにマナーモードの設定及び解除を行わせるプログラムであって、加速度を計測させる手順と、所定の加速度が計測された時に時間の計測を開始させる手順と、第１の加速度が時間Ｔ１継続して計測された場合にマナーモードを設定させる手順と、第２の加速度が時間Ｔ１よりも長い時間Ｔ２継続して計測された場合にマナーモードを解除させる手順を含むことを特徴とする。
【００１３】
本発明に係る携帯情報端末に音量を制御させるプログラムは、加速度を計測させる手順と、所定の加速度が計測された時に時間の計測を開始させる手順と、所定の加速度が所定時間継続して計測された場合に音量を制御させる手順を含むことを特徴とする。音量を制御させる手順として、第１の加速度が時間Ｔ３継続して計測された場合に音量を小さくさせる手順と、第２の加速度が時間Ｔ３よりも長い時間Ｔ４継続して計測された場合に音量を大きくさせる手順を含んでも良い。
【発明の効果】
【００１４】
本発明に係る携帯情報端末は、第１の加速度が時間Ｔ１継続して計測された場合にマナーモードを設定すると共に第２の加速度が時間Ｔ２継続して計測された場合にマナーモードを解除するものである。時間Ｔ２は時間Ｔ１よりも大きく設定されているため、マナーモードの設定は速やかに設定されるが、いったんマナーモードが設定された場合には簡単にマナーモードが解除されない。従って、周囲の迷惑をかけないことを優先させることができる。
【００１５】
また、マナーモードは加速度計測手段の計測結果のみで設定または解除されるので、携帯電話機の所持者は各種設定等を行うことなくマナーモードの設定及び解除を自動的に行わせることができる。更に、加速度の計測結果をスピーカの音量制御に適用することで、計測結果を有効に活用することができる。
【発明を実施するための最良の形態】
【００１６】
本発明の実施の形態について説明する。以下の実施形態ではいずれも携帯情報端末として携帯電話機を適用する。先ず、本発明の第１の実施の形態について説明する。図１は本実施形態に係る携帯電話機の構成例を示すブロック図である。図１に示すように、本実施形態に係る携帯電話機１は加速度センサ部１０１１、制御部１０１２、メモリ部１０１３、スピーカ部１０１４、バイブレータ部１０１５、ＬＥＤ部１０１６、表示部１０１７、操作部１０１８、タイマ部１０１９、更に図示しない無線部、アンテナ部、マイク、レシーバなどを備える。
【００１７】
各部について説明すると、加速度センサ部１０１１は三次元方向に加えられる運動加速度をＸ、Ｙ、Ｚ方向それぞれについて検出するものであり、圧電素子等を用いた一般的な加速度センサである。メモリ部１０１３は、加速度の計測パターンとマナーモードを設定及び解除する時の遅延時間が格納されている。本実施形態に係る携帯電話機１のメモリ部１０１３には、予め一般的な歩数計測器等で用いられている「歩行中」「静止中」「乗り物に乗車中」の３種類についての加速度の計測パターンが格納されている。更に、マナーモードをＯＮするための切替遅延時間ｔ１として３０秒が、マナーモードをＯＦＦするための切替遅延時間ｔ２として１分３０秒が格納されている。スピーカ部１０１４、バイブレータ部１０１５、ＬＥＤ部１０１６は、携帯電話機１が着信を受けたときに、それぞれ着信音を鳴らす、振動素子を振動させる、発光素子を発光させることにより携帯電話機１の所持者に着信について報知する。表示部１０１７は携帯電話機１の所持者が情報等を閲覧するＬＣＤ等の画面、操作部１０１８は、携帯電話機１の所持者が表示部１０１７に表示させた各種機能の設定等を行うための入力ツールである。制御部１０１２は、これらの各部を制御している。
【００１８】
次に、加速度センサ部１０１１で計測した加速度を基にマナーモードを設定及び解除するタイミングについて説明する。以下、加速度を基にマナーモードを設定及び解除する機能を自動マナーモード機能と記す。本実施形態に係る自動マナーモード機能は、加速度センサ部１０１１で計測した加速度が所定の計測パターンである場合に、計測パターンに応じて自動的にマナーモードをＯＮまたはＯＦＦする。ここで、所定の計測パターンが計測された場合にすぐにマナーモードをＯＮまたはＯＦＦするのではなく、計測パターンに対応して定められた所定の切替遅延時間が経過した後にマナーモードをＯＮまたはＯＦＦする。本実施形態では、一般的な歩数計測器等で用いられている「静止中」または「乗り物に乗車中」の計測パターンが切替遅延時間ｔ１、すなわち３０秒継続して計測された場合にマナーモードがＯＮ、「歩行中」の計測パターンが切替遅延時間ｔ２、すなわち１分３０秒継続して計測された場合にマナーモードがＯＦＦされる。
【００１９】
自動マナーモード機能によるマナーモードのＯＮ／ＯＦＦと加速度センサ部１０１１から計測される計測パターンとの時間的な関係を図２に示す。先ず、携帯電話機１には携帯電話機１の所持者により通常モード、マナーモード等の動作モードが設定されている。この状態で自動マナーモード機能を設定して加速度センサ部１０１１による計測を開始する。加速度センサ部１０１１により「静止中」または「乗り物に乗車中」の計測パターンが計測された場合、その時点では所持者が設定した通常モード、マナーモード等の動作モードがそのまま適用される。更に「静止中」または「乗り物に乗車中」の計測パターンが継続して計測され、切替遅延時間ｔ１（３０秒）経過すると、自動マナーモード機能によりマナーモードがＯＮになる。すなわち、所持者が設定した動作モードがマナーモードである場合にはマナーモードはＯＮのままであるが、所持者が設定した動作モードが通常モードである場合にはマナーモードに移行する。
【００２０】
更に、加速度センサ部１０１１での計測を継続し、計測された加速度が「歩行中」の計測パターンに変化した場合、すぐにはマナーモードをＯＦＦにせずに、マナーモードＯＮの状態を継続させる。そして、切替遅延時間ｔ２（１分３０秒）経過しても「歩行中」の計測パターンが継続して計測される場合に、自動マナーモード機能によりマナーモードをＯＦＦにする。尚、本実施形態では、自動マナーモード機能によりマナーモードがＯＦＦされた場合には、動作モードとして通常モードが設定されるように予め設定されている。更に、加速度センサ部１０１１で計測された加速度が「歩行中」の計測パターンから「静止中」または「乗り物に乗車中」の計測パターンに変化した場合は、その計測パターンが切替遅延時間ｔ１、すなわち３０秒継続して計測された時に、自動マナーモード機能によりマナーモードをＯＮする。以降、携帯電話機１の所持者が自動マナーモード機能を解除するまで加速度センサ部１０１１での計測を継続し、マナーモードがＯＮ／ＯＦＦされる。そして、所持者が自動マナーモード機能を解除した場合には、解除した時点で設定されているマナーモードのＯＮ／ＯＦＦ状態がそのまま携帯電話機１に設定される。
【００２１】
このように、自動マナーモード機能によりマナーモードをＯＮ／ＯＦＦする場合に、切替遅延時間ｔ１、切替遅延時間ｔ２を設けることで、例えば携帯電話機１の所持者が歩行中に信号待ちで静止した場合に即座にマナーモードがＯＮされたり、乗り物に乗車中時に座席に座るために移動した等で即座にマナーモ−ドがＯＦＦされてしまうことを避けることができる。ここで、切替遅延時間は数秒から数分程度更設定するのが望ましい。
【００２２】
また、切替遅延時間ｔ２（１分３０秒）は切替遅延時間ｔ１（３０秒）より長く設定されている。切替遅延時間ｔ１＜切替遅延時間ｔ２とすることで、携帯電話機１の所持者が静止したり、乗り物に乗車した場合には速やかにマナーモードをＯＮするが、マナーモードがＯＮである場合には所持者の歩行状態を計測した場合でもすぐにはマナーモードをＯＦＦせずに、所持者が歩行状態を十分継続した場合にはじめてマナーモードをＯＦＦすることで、周囲の迷惑をかけないことを優先させることができる。尚、本実施形態ではメモリ部１０１３に予め切替遅延時間ｔ１（３０秒）及び切替遅延時間ｔ２（１分３０秒）が格納されているが、携帯電話機１の所持者が操作部１０１８を用いて切替遅延時間ｔ１及びｔ２を設定及び変更することでも良い。
【００２３】
また、本実施形態では、自動マナーモード機能によりマナーモードがＯＦＦされた場合には、動作モードとして通常モードが自動的に設定されるようにしたが、バイブレータ部１０１５及びＬＥＤ部１０１６を共に機能させる、いわゆる鳴動モードに設定する等でも良い。更に、本実施形態では自動マナーモード機能を解除した場合に、その時点で設定されているマナーモードのＯＮ／ＯＦＦの状態がそのまま設定されることとしたが、自動マナーモード機能を設定した直前に携帯電話機１に設定されていた動作モードをメモリ部１０１３に記憶しておいて、自動マナーモード機能を解除時に記憶しておいた動作モードが設定されるようにしても良い。更に、本実施形態では「静止中」または「乗り物に乗車中」の計測パターンが計測された場合の切替遅延時間をどちらも同じ３０秒に設定したが、「静止中」と「乗り物に乗車中」とで異なる切替遅延時間を設定しても良い。例えば「静止中」の場合の切替遅延時間を３０秒、「乗り物に乗車中」の場合の切替遅延時間を２０秒とすることで、「乗り物に乗車中」の場合にはよりスムーズにマナーモードをＯＮにすることができる。ここで、計測パターンの種類によって切替遅延時間を複数設定する場合でも、マナーモードをＯＮする場合の切替遅延時間ｔ１とマナーモードをＯＮする場合の切替遅延時間ｔ２との関係が、切替遅延時間ｔ１＜切替遅延時間ｔ２となるように設定する。
【００２４】
本実施形態に係る携帯電話機１の動作フローの一例を図３に示す。図３において、先ず携帯電話機１の所持者は操作部１０１８を用い、表示部１０１７に機能一覧を表示させて自動マナーモード機能を設定する（ステップ１０１）。自動マナーモード機能が設定されることで制御部１０１２は加速度センサ部１０１１を制御して加速度の計測を開始させる（ステップ１０２）。制御部１０１２は、メモリ部１０１３に格納されている加速度の計測パターンと加速度センサ部１０１１から計測された加速度とを比較して、計測された加速度が所定の計測パターン、すなわち「静止中」「乗り物に乗車中」「歩行中」のいずれかの計測パターンに一致するか否かを判定する（ステップ１０３）。所定の計測パターンが計測された場合は、制御部１０１２はタイマ部１０１９を制御して時間の計測を開始する（ステップ１０４）。ここで、計測された計測パターンが「歩行中」である場合はステップ１１０へ移行する。一方、計測された計測パターンが「静止中」または「乗り物に乗車中」である場合には（ステップ１０５）、制御部１０１２は「静止中」または「乗り物に乗車中」の計測パターンが切替遅延時間ｔ１以上、すなわち３０秒以上継続して計測された場合に（ステップ１０６）、マナーモードをＯＮにする（ステップ１０７）。更に、制御部１０１２は加速度センサ部１０１１に加速度の計測を継続させ、加速度が「歩行中」の計測パターンに変化した場合に（ステップ１０８）、タイマ部１０１９を制御して時間の計測を開始する（ステップ１０９）。制御部１０１２は、「歩行中」の計測パターンが切替遅延時間ｔ２以上、すなわち1分３０秒以上継続して計測された場合に（ステップ１１０）、マナーモードをＯＦＦにする（ステップ１１１）。以降、携帯電話機１の所持者が自動マナーモード機能を解除するまで、加速度センサ部１０１１での加速度の計測を継続し、ステップ１０３からステップ１１０を繰り返す。
【００２５】
以上のように、本実施形態では自動マナーモード機能によるマナーモードのＯＮ／ＯＦＦを加速度センサ部１０１１からの計測結果のみで行うため、計測結果を有効に活用できると共に、携帯電話機１の所持者は各種設定をすることなく自動マナーモード機能を適用させることができる。更に、所定の計測パターンを計測した場合でもすぐにはマナーモードをＯＮ／ＯＦＦせず、切替遅延時間ｔ１及び切替遅延時間ｔ２が経過した時に所定の計測パターンが継続して計測されている場合にマナーモードをＯＮ／ＯＦＦするので、例えば、信号待ち等で短時間静止した場合に即座にマナーモードがＯＮになったり、会議中に席を移動した場合に即座にマナーモードがＯＦＦされてしまうことがない。従って、マナーモードのＯＮ／ＯＦＦ制御をより精度良く行うことが可能となる。更に、マナーモードをＯＦＦするための切替遅延時間をマナーモードをＯＮするための切替遅延時間よりも長くすることで、マナーモードＯＮは速やかに設定されるが、マナーモードがＯＮである場合は所持者の行動形態を十分確認してからマナーモードがＯＦＦされるので、周囲の方に迷惑をかけないことを優先させることができる。
【００２６】
第２の実施の形態について説明する。本実施形態に係る携帯電話機１は、第１の実施の形態に係る携帯電話機１にスケジュール機能を追加したものである。携帯電話機１のメモリ部１０１３には携帯電話機１の所持者のスケジュール情報が格納されている。図４にスケジュール情報を表示部１０１７に表示した一例を示す。図４には２００６年３月２８日のスケジュールとして、１０：１３発の新幹線に乗車すること、１５：００に会議に出席すること、１８：３０に有楽町へ行くこと、１９：００に飲み会に出席することが登録されている。
【００２７】
図４において、下方には「１９：００  飲み会」についての詳細内容を設定するための表示スペースがある。ここでは、１９：００の飲み会の詳細内容として「１９：００から２１：００」「飲み会」及び「通常モード（自動マナー設定）」が設定されている。ここで、「通常モード（自動マナー設定）」とは、携帯電話機１の動作モード設定を通常モード（スピーカ部１０１４：ＯＦＦ、バイブレータ部１０１５／ＬＥＤ部１０１６：ＯＮ）とした上で、自動マナーモード機能が設定されることを意味する。従って、２００６年３月２８日の１９：００から２１：００は携帯電話機１に通常モードを設定した上で、加速度センサ部１０１１による加速度の計測を行い加速度の計測結果に基づいて自動マナーモードをＯＮ／ＯＦＦする。つまり、飲み会で所持者が着席している場合には通常モードからマナーモードがＯＮになり、飲み会終了等により所持者が歩行を開始した場合にはマナーモードがＯＦＦとなり、すなわち通常モードに復帰する。
【００２８】
一方、「１８：３０  有楽町」については、図示しない詳細内容として１８：３０から１８：５９の間で「通常モード（自動マナー解除）」が設定されている。すなわち、１８：３０から１８：５９は加速度センサ部１０１１による計測は行わない。従って、所持者が長時間静止している場合でも自動マナーモードがＯＮされることはない。
【００２９】
ここで、図４において、中央部の飲み会の欄の「スピーカマーク＋ハートマーク」は「通常モード（自動マナー設定）」が設定されていることを、有楽町の欄の「スピーカマーク」は「通常モード（自動マナー解除）」が設定されていることを示している。携帯電話機１の所持者はスケジュール画面の「スピーカマーク＋ハートマーク」及び「スピーカマーク」を確認することで、詳細内容を表示させることなく各予定について自動マナーモード機能が設定されるか解除されるかを認識することができる。
【００３０】
以上のように、スケジュールに自動マナーモード機能の設定／解除を登録することができる。携帯電話機１の所持者は、自分の行動形態に応じて柔軟にマナーモードを設定させたい場合には、予めスケジュールに所望の動作モードと併せて自動マナーモード機能を設定しておくことができる。
【００３１】
次に、第３の実施の形態について説明する。本実施形態では加速度センサ部１０１１で計測した加速度をマナーモードのＯＮ／ＯＦＦ以外にも用いることで加速度の計測結果を有効に活用する。本実施形態に係る携帯電話機１は、メモリ部１０１３には「歩行中」「静止中」「乗り物に乗車中」「走行中」に対応する加速度の計測パターンが格納されている。
【００３２】
本実施形態に係る携帯電話機１の動作フローの一例を図６に示す。図６において、第１の実施の形態と同様に先ず携帯電話機１の所持者は操作部１０１８を用い、表示部１０１７に機能一覧を表示させて自動マナーモード機能を設定する（ステップ２０１）。自動マナーモード機能が設定されることで制御部１０１２は加速度センサ部１０１１を制御して加速度の計測を開始させる（ステップ２０２）。制御部１０１２は、メモリ部１０１３に格納されている加速度の計測パターンと加速度センサ部１０１１から計測された加速度とを比較して、計測された加速度が所定の計測パターン、すなわち「静止中」「乗り物に乗車中」「歩行中」「走行中」のいずれかの計測パターンと一致するか否かを判定する（ステップ２０３）。所定の計測パターンが計測された場合は、制御部１０１２はタイマ部１０１９を制御して時間の計測を開始する（ステップ２０４）。ここで、計測された計測パターンが「歩行中」または「走行中」である場合はステップ２１０へ移行する。一方、計測された計測パターンが「静止中」または「乗り物に乗車中」である場合には（ステップ２０５）、制御部１０１２は「静止中」または「乗り物に乗車中」の計測パターンが切替遅延時間ｔ１以上、すなわち３０秒以上継続した場合に（ステップ２０６）、マナーモードをＯＮにする（ステップ２０７）。更に、制御部１０１２は加速度センサ部１０１１に加速度の計測を継続させ、加速度が「歩行中」または「走行中」の計測パターンに変化した場合（ステップ２０８）、タイマ部１０１９を制御して時間の計測を開始する（ステップ２０９）。制御部１０１２は「歩行中」または「走行中」の計測パターンが切替遅延時間ｔ２以上、すなわち1分３０秒以上継続した場合（ステップ２１０）、マナーモードをＯＦＦにする（ステップ２１１）。
【００３３】
本実施形態では更に、計測パターンが「歩行中」であるか「走行中」であるかを判別する（ステップ２１２）。計測パターンが「歩行中」である場合はステップ２１５へ移行し、スピーカ部１０１４の音量を通常レベルに設定する。計測パターンが「走行中」である場合はスピーカ部１０１４の音量を大に設定し（ステップ２１３）、更に加速度センサ部１０１１での計測を継続し、「走行中」以外の計測パターンに変化したら（ステップ２１４）、スピーカ部１０１４の音量を通常レベルに設定する（ステップ２１５）。以降、携帯電話機１の所持者が自動マナーモード機能を解除するまで、加速度センサ部１０１１での計測を継続し、ステップ２０３からステップ２１５を繰り返す。
【００３４】
本実施形態では、加速度センサ部１０１１で計測した加速度が「歩行中」「走行中」の計測パターンである場合にマナーモードをＯＦＦすると共に、更に「歩行中」か「走行中」かを判別して「走行中」の場合はスピーカ部１０１４の音量を大きくするものである。加速度センサ部１０１１で計測した加速度の計測結果をスピーカ部１０１４の音量設定にも用いることで、加速度の計測結果を有効に活用することができる。ここで、加速度センサ部１０１１の計測結果は音量設定以外にも応用することができ、例えば時計機能と組み合わせ、０：００から６：００までの時間帯に「静止中」または「乗り物に乗車中」の計測パターンを計測した場合はスリープモード（スピーカ部１０１４、バイブレータ部１０１５、ＬＥＤ部１０１５の全てＯＦＦ）を設定し、それ以外の時間帯に「静止中」または「乗り物に乗車中」の計測パターンを計測した場合はマナーモード（スピーカ部１０１４がＯＦＦ、バイブレータ部１０１５及びＬＥＤ部１０１５がＯＮ）を設定することができる。加速度の計測結果を時間機能と組み合わせることで、携帯電話機１に所持者の行動形態により則した設定を行うことができる。
【００３５】
第４の実施の形態について説明する。本実施形態では加速度センサ部１０１１で計測した加速度の計測結果を用いてスピーカ部１０１４の音量を制御する。本実施形態に係る携帯電話機１は、スピーカ部１０１４を機能させる動作モードとして、通常モード（スピーカ部：ＯＮ、バイブレータ部１０１５：ＯＦＦ、ＬＥＤ部１０１６：ＯＦＦ）と鳴動モード（スピーカ部：ＯＮ、バイブレータ部１０１５：ＯＮ、ＬＥＤ部１０１６：ＯＮ）が設定できる。また、スピーカ部１０１４は音量が「大」「中」「小」の３段階に制御される。ここで、「中」は携帯電話機１の所持者が通常使用する音量として携帯電話機１に設定した音量である。携帯電話機１のメモリ部１０１３には「静止中」「歩行中」「走行中」に対応する加速度の計測パターンが格納されている。本実施形態において、この「静止中」「歩行中」「走行中」の計測パターンに対応してスピーカ部１０１４音量「小」「中」「大」がそれぞれ設定されている。更に、メモリ部１０１３には、スピーカ部１０１４の音量を「小」にするための切替遅延時間ｔ３（１０秒）と音量を「中」または「大」にするための切替遅延時間ｔ４（２０秒）が格納されている。
【００３６】
本実施形態に係る携帯電話機１の動作フローを図６を用いて説明する。図６において、先ず携帯電話機１の所持者は操作部１０１８を用い、携帯電話機１に通常モードまたは鳴動モードを動作モードとして設定する（ステップ３０１）。通常モードまたは鳴動モードが設定されることで制御部１０１２は加速度センサ部１０１１を制御して加速度の計測を開始させる（ステップ３０２）。尚、この時点ではスピーカ部１０１４の音量は「中」に設定されている。制御部１０１２は、メモリ部１０１３に格納されている加速度の計測パターンと加速度センサ部１０１１から計測された加速度とを比較して、計測された加速度が所定の計測パターン、すなわち「静止中」「歩行中」「走行中」のいずれかの計測パターンと一致するか否かを判定する（ステップ３０３）。所定の計測パターンが計測された場合は、制御部１０１２はタイマ部１０１９を制御して時間の計測を開始する（ステップ３０４）。ここで、計測された計測パターンが「歩行中」または「走行中」である場合はステップ３０８へ移行する。一方、計測された計測パターンが「静止中」である場合は（ステップ３０５）、制御部１０１２は「静止中」の計測パターンが切替遅延時間ｔ３以上、すなわち１０秒以上継続して計測された場合に（ステップ３０６）、スピーカ部１０１４の音量を「小」に設定する（ステップ３０７）。一方、ステップ３０５で計測された加速度の計測パターンが「歩行中」または「走行中」である場合、制御部１０１２は、「歩行中」または「走行中」の計測パターンが切替遅延時間ｔ４以上、すなわち２０秒以上継続して計測された場合（ステップ３０８）、計測パターンが「歩行中」である場合は（ステップ３０９）、スピーカ部の音量を「中」に変更し（ステップ３１０）、計測パターンが「走行中」である場合は（ステップ３０９）、スピーカ部の音量を「大」に変更する（ステップ３１１）。そして、加速度センサ部１０１１での加速度の計測を継続し、計測パターンが変化した場合には（ステップ３１２ａ、３１２ｂ、３１２ｃ）、ステップ３０４へ戻る。以降、携帯電話機１の所持者が動作モードとしてマナーモードを設定するまでステップ３０４からステップ３１２を繰り返す。
【００３７】
本実施形態では、加速度センサ部１０１１の計測結果をスピーカ部１０１４の音量の制御に用いることで、所持者が「走行中」でスピーカ部１０１４の音を聞きづらい場合には自動的に音量を「大」に設定し、所持者が「静止中」でスピーカ部１０１４の音を聞き取りやすい場合には自動的に音量を「小」にする。ここで、所定の計測パターンを計測した場合でもすぐには音量を変化させずに、切替遅延時間ｔ３及び切替遅延時間ｔ４が経過した時に所定の計測パターンが継続して計測されている場合に始めて音量を変化させるので、例えば、信号待ち等で短時間静止した場合にスピーカ部１０１４の音量が突然小さくなったり、静止した状態で通話している時に姿勢を変える等により会話の一部だけ音量が大きくなってしまうことを避けることができる。更に、音量を大きくするための切替遅延時間を音量を小さくするための切替遅延時間よりも長くすることで、静止中の場合には比較的早く音量を小さくすることができ、周囲の方に迷惑をかけないことを優先することができる。
【００３８】
尚、本実施形態では音量を大きくするための切替遅延時間を音量を小さくするための切替遅延時間よりも長くしたが、これに限定されない。音量を大きくするための切替遅延時間を音量を小さくするための切替遅延時間よりも短くする場合は、所持者が走行開始後速やかにスピーカ部１０１４の音量が大きくなり、従って所持者が走行開始により会話が聞き取り辛くなったり、着信音に気付かないことを防止することができる。また、本実施形態では、スピーカ部１０１４の音量を「小」にするための切替遅延時間ｔ３を１０秒に、音量を「中」または「大」にするための切替遅延時間ｔ４を２０秒にしたが、これに限られない。例えば、音量を「大」→「中」、「大」→「小」、「中」→「小」にする、すなわち現状設定されている音量から小さくする場合の切替遅延時間を１０秒に、反対に音量を「小」→「中」、「小」→「大」、「中」→「大」にする、すなわち現状設定されている音量から大きくする場合の切替遅延時間を２０秒にする等でも良い。
【００３９】
以上のように、本発明に係る携帯電話機１は、加速度センサ部１０１１により計測した加速度をマナーモードのＯＮ／ＯＦＦ制御やスピーカ部１０１４の音量の制御に用いるものである。自動マナーモード機能に適用する場合、「静止中」または「乗り物に乗車中」の計測パターンを計測した場合に自動的にマナーモードをＯＮし、「歩行中」または「走行中」の計測パターンを計測した場合は自動的にマナーモードをＯＦＦ。自動マナーモード機能は加速度センサ部１０１１の計測結果のみで動作するので、加速度の計測結果を有効に活用できると共に携帯電話機１の所持者は各種設定等を行うことなく自動マナーモード機能を用いることが可能となる。ここで、切替遅延時間ｔ１経過後にマナーモードＯＮ、切替遅延時間ｔ２経過後にマナーモードＯＦＦすることで、例えば信号待ちで静止した場合や会議中に席を移動した場合にマナーモードが簡単にＯＮ／ＯＦＦされてしまうことを避けることができる。更に、切替遅延時間ｔ１＜切替遅延時間ｔ２とすることで、マナーモードのＯＮは速やかに設定されるが、いったんマナーモードがＯＮになった場合には簡単にマナーモードがＯＦＦにならず、従って周囲の迷惑をかけないことを優先させることができる。
【００４０】
また、加速度センサ部１０１１の計測結果をスピーカ部１０１４の音量の制御に適用する場合、計測パターンに応じて音量が変化し、所持者が走行を開始して音を聞きづらくなった場合には自動的に音量を「大」にし、所持者が静止中でスピーカ部１０１４の音を聞き取りやすい場合には自動的に音量を「小」にする。加速度センサ部１０１１の計測結果をスピーカ部１０１４の音量制御にも活用することで、計測結果をより有効に活用できると共に、所持者の行動形態により則した設定に携帯電話機１を設定変更することができる。尚、上記の実施形態ではいずれも携帯電話機１について説明したが、着信音やアラーム音が鳴動するタイマ機能を備えた機器であれば、ＰＤＡ等にも適用できる。
【図面の簡単な説明】
【００４１】
【図１】本発明の第１の実施の形態に係る携帯電話機のブロック図の一例。
【図２】本発明の第１の実施の形態における、計測データとマナーモードＯＮ／ＯＦＦとの時間的な関係を示す図。
【図３】本発明の第１の実施の形態に係る携帯電話機のマナーモード設定の動作処理を示すフローチャート。
【図４】本発明の第２の実施の形態に係るスケジュール設定画面の例を示す図。
【図５】本発明の第３の実施の形態に係る携帯電話機のマナーモード設定の動作処理を示すフローチャート。
【図６】本発明の第４の実施の形態に係る携帯電話機のスピーカ音量を制御する動作処理を示すフローチャート。
【符号の説明】
【００４２】
１    携帯電話機
１０１１    加速度センサ部
１０１２    制御部
１０１３    メモリ部
１０１４    スピーカ部
１０１５    バイブレータ部
１０１６    ＬＥＤ部
１０１７    表示部
１０１８    操作部
１０１９    タイマ部
【図１】
2007274074.tif 000003
【図２】
2007274074.tif 000004
【図３】
2007274074.tif 000005
【図４】
2007274074.tif 000006
【図５】
2007274074.tif 000007
【図６】
2007274074.tif 000008